(57)【要約】【課題】維持管理が容易な簡単な構造によってブリッジ現象を防止することができる塵芥貯留ホッパを提供する。【解決手段】ホッパ本体２の上部に形成された投入部３から投入された塵芥を貯留してホッパ本体２の底部に形成された排出部４から排出する塵芥貯留ホッパ１において、ホッパ本体２は排出部４が設けられた部位の上部から底部に亘って横断面積が漸次大きくなるように末広がりに形成されるとともに、排出部４周辺の内壁面には適数本の突起体６が上下方向に突設されている。突起体６は横断面が三角形状である。ホッパ本体２の底部には、内部の塵芥を排出部４に押し出す押出装置５が設けられ、突起体６が少なくとも押出装置５による塵芥押出方向と対峙する内壁面２３に設けられている。【選択図】  図２
2005306563.tif 000002
【特許請求の範囲】
【請求項１】
ホッパ本体の上部に形成された投入部から投入された塵芥を貯留してホッパ本体の底部に形成された排出部から排出する塵芥貯留ホッパにおいて、
前記ホッパ本体は前記排出部が設けられた部位の上部から底部に亘って横断面積が漸次大きくなるように末広がりに形成されるとともに、前記排出部周辺の内壁面には適数本の突起体が上下方向に突設されたことを特徴とする塵芥貯留ホッパ。
【請求項２】
前記突起体は、横断面が三角形状であることを特徴とする請求項１記載の塵芥貯留ホッパ。
【請求項３】
前記ホッパ本体の底部には、内部の塵芥を排出部に押し出す押出装置が設けられ、前記突起体が少なくとも上記押出装置による塵芥押出方向と対峙する内壁面に設けられたことを特徴とする請求項１又は２記載の塵芥貯留ホッパ。
【発明の詳細な説明】
【技術分野】
【０００１】
本発明は、投入された塵芥を貯留して適宜に排出する塵芥貯留ホッパに関する。
【背景技術】
【０００２】
従来、ホッパ本体の上部に形成された投入部から投入された塵芥を貯留してホッパ本体の底部に形成された排出部から排出する塵芥貯留ホッパが提供されている。
【０００３】
具体的には、上面に投入口が開口されており、下方にいく従って幅狭となるように形成されて底面に排出口が開口されている。そして、このようなホッパにおいては、当該ホッパ内に仕切板を回動自在に設け、この仕切板を回動させることによってホッパ内における貯留された塵芥のブリッジ現象の発生を防止していた（例えば、特許文献１参照）。
【特許文献１】特開昭５６−１１３５７４号公報
【発明の開示】
【発明が解決しようとする課題】
【０００４】
しかしながら、上記従来のものでは、ブリッジ現象を防止する仕切板や伸縮シリンダなどの特別な装置を設けなければならずホッパ全体の構造が複雑になり設備コストの高騰を招くとともに、メンテナンスなども必要になり維持管理に手間がかかるという問題があった。
【０００５】
本発明は、上記問題点に鑑みてなされたもので、その目的とするところは、維持管理が容易な簡単な構造によってブリッジ現象を防止することができる塵芥貯留ホッパを提供することにある。
【課題を解決するための手段】
【０００６】
上記の目的を達成するため、請求項１に係る発明の塵芥貯留ホッパは、ホッパ本体の上部に形成された投入部から投入された塵芥を貯留してホッパ本体の底部に形成された排出部から排出する塵芥貯留ホッパにおいて、前記ホッパ本体は前記排出部が設けられた部位の上部から底部に亘って横断面積が漸次大きくなるように末広がりに形成されるとともに、前記排出部周辺の内壁面には適数本の突起体が上下方向に突設されたものである。
【０００７】
請求項２に係る発明の塵芥貯留ホッパは、前記突起体が、横断面が三角形状であるものである。
【０００８】
請求項３に係る発明の塵芥貯留ホッパは、前記ホッパ本体の底部には、内部の塵芥を排出部に押し出す押出装置が設けられ、前記突起体が少なくとも上記押出装置による塵芥押出方向と対峙する内壁面に設けられたものである。
【発明の効果】
【０００９】
本発明によれば、特別な装置を設置することなく、突起体を設けるだけの施工も簡単な簡易な構造によりブリッジの発生を防止することができ、これにより設備コストが安価でメンテナンスなどの維持管理も容易になる。
【発明を実施するための最良の形態】
【００１０】
以下、本発明の実施の形態について図面を参照して説明する。
【００１１】
図１乃至図３は、本発明の塵芥貯留ホッパを示している。なお、説明の便宜上、図１において紙面向かって右側を前、左側を後、上側を左、下側を右という。
【００１２】
塵芥貯留ホッパ１は、ホッパ本体２の上部に形成された投入部から投入された塵芥を貯留してホッパ本体２の底部に形成された排出部から排出するものである。
【００１３】
具体的には、ホッパ本体２の上面が投入口（投入部）３として開口されるとともに、底面２５（図１参照）の前部側の一部が排出口（排出部）４として開口されている。
【００１４】
上記ホッパ本体２の上部には、平面視矩形状で所定高さの保護枠５が設けられ、投入口３の周囲に設けられたステップ５１（図２及び図３二点鎖線参照）上に作業者が乗ってホッパ本体２内の監視や点検などが行えるようになっている。
【００１５】
上記ホッパ本体２は、投入口３が形成された上部から底部に亘って各壁面が以下のように形成されている。
【００１６】
後壁２１は、図２に示すように上部から底面２５に亘って内方（前方）に向けて傾斜して形成されている。
【００１７】
前壁２２は、図２に示すように上部から底面２５に亘って前方に向けて傾斜して形成されている。
【００１８】
これに対して、左右側壁２３、２４は、上記排出口４よりも後側が上部から底面２５に亘って真っ直ぐに垂下したストレート形状に形成されるとともに、排出口４に面する部位が図３に示すように途中部から底面２５に亘って左右外方に向けて傾斜して形成されている。なお、左側壁２３は、図３に示すように上部が一旦内方に傾斜して形成された後に左外方に向けて傾斜して形成されている。つまり、左右側壁２３、２４は、図２に一点鎖線で示す位置を境にして排出口４に面する前部側と排出口４に面しない後部側とで形状が異なっている。
【００１９】
従って、ホッパ本体２は、排出口４が設けられた部位においては左側壁２３の前部側が左外方に向けて傾斜する部位から底部にかけて横断面積が漸次大きくなるように末広がりに形成されている。なお、各壁面の傾斜角度は、塵芥の貯留規模などを勘案して適宜に設定すればよい。
【００２０】
また、ホッパ本体２の後壁２１底部には押出装置６が設けられている。押出装置６は、内部に設けられた押出板６１が図示しない伸縮シリンダの伸縮動作により後壁２１から排出口４に達する位置まで往復動作するように構成されており、この往復動作によって貯留された底部の塵芥を排出口４まで強制的に移動させて当該排出口４から排出するようにしている。
【００２１】
上記排出口４は、例えば図示しないコンパクタの投入部に連結されており、排出口４から上記投入部に排出した塵芥をコンパクタによってコンテナに詰め込むようにしている。
【００２２】
さらに、前記排出口４の周囲内壁面には適数本の突起体７が上下方向に突設されている。具体的には、突起体７は、図２及び図３に示すように、前記押出装置６による塵芥押出方向と対峙する前壁２２の外方に傾斜した内面に３本が所定の間隔を隔てて配設されるとともに、左右側壁２３、２４の外方に傾斜した各内面の排出口４の前後幅に対して略中央となる位置に１本がそれぞれ配設されている。つまり、本実施の形態では、計５本の突起体７がホッパ本体２の各内壁面に配設されている。
【００２３】
各突起体７は、図４及び図５に示すようにその横断面が三角形状に形成された所定の長さを有する長尺体であって、上端部７１には上方から下方に移動する塵芥が引っかからないように傾斜面７２が形成されている。
【００２４】
このようにホッパ本体２の排出口４に面する前部側を下方に亘って末広がりの形状にするとともに、当該排出口４に面する内壁面に突起体７を設けたことで、押出装置６によりホッパ本体２内の後部の塵芥を前方の排出口４側に押し出すと、この排出口４側でホッパ本体２内の容積が大きくなることからこの作用で塵芥がほぐされながら排出口４上方に押し出され、しかもこの塵芥が排出口４周辺の各内壁面に押付けられたとしても、突起体７によって塵芥と各内壁面との間に隙間を作ることができる。
【００２５】
これにより突起体７がなく塵芥が内壁面に圧接されるものに比べて壁面に対する塵芥の摩擦力を低減させることができるので、ホッパ本体２前部側の末広がり形状による作用と相まって、塵芥を排出口４から円滑に落下させることができブリッジの発生を防止することができる。
【００２６】
このように特別な装置を設置することなく、ホッパ本体２の形状と突起体７を設けるだけの施工も簡単な簡易な構造によりブリッジの発生を防止することができるので、設備コストが安価でメンテナンスなどの維持管理も容易になる。
【００２７】
また、突起体７の表面に摩擦抵抗が小さくなる加工を施すことで、突起体７の表面と塵芥との接触部分の摩擦抵抗を低減できるので、さらにブリッジの発生を防止する効果を付与することができる。なお、突起体７の表面へは、例えばアドロンコーティングなどの表面処理を行えばよい。
【００２８】
なお、上述した実施形態は、あくまでも本発明の好適な実施態様を示すものであって、本発明はこれに限定されることなく、その範囲内において種々設計変更可能である。
【００２９】
例えば、ホッパの使用態様によっては押出装置６は必ずしも必要ない。
【００３０】
また、突起体７の横断面形状は、三角形状に限らず、塵芥と内壁面との間に隙間を形成できる形状であればよい。
【図面の簡単な説明】
【００３１】
【図１】本発明の塵芥貯留ホッパを示す平面図である。
【図２】同じく塵芥貯留ホッパを示す側面図である。
【図３】同じく塵芥貯留ホッパを示す正面図である。
【図４】突起体を示す正面図である。
【図５】突起体を示す側面図である。
【符号の説明】
【００３２】
１  塵芥貯留ホッパ
２  ホッパ本体
３  投入口（投入部）
４  排出口（排出部）
６  押出装置
７  突起体
【図１】
2005306563.tif 000003
【図２】
2005306563.tif 000004
【図３】
2005306563.tif 000005
【図４】
2005306563.tif 000006
【図５】
2005306563.tif 000007